(57)【要約】【課題】机の棚装置に、黒板機能を有するボードを、視認性に優れると共に邪魔にならない状態で設ける。【解決手段】棚装置２は、前向きに開口した収納部１３を有する。収納部１３の前面は着脱自在な蓋体１６で塞ぐことができる。蓋体１６の前面はチョークで筆記可能な黒板層（塗料層）１６ａが形成されている。このため、蓋体１６に筆記等した表示は抜群の視認性を有しており、しかも、蓋体１６は収納部１３を塞ぐものであるため、邪魔になったり置き場所に困ったりすることはない。蓋体１６は取り外し自在であるため、筆記は机上に寝かせた状態で行える。このため、文字や図柄を容易かつ綺麗に書くことができる。【選択図】図１
2015223188.tif 000002
【特許請求の範囲】
【請求項１】
天板付き家具に使用される棚装置であって、少なくとも前向きに開口した収納部とこれに設けた蓋体とを有しており、
前記蓋体は、前記収納部に対し着脱自在であってかつ当該収納部の前面側の開口を覆うように設けられ、前記蓋体の前面を、視認できる表示を施し得る表示許容部と成している、
家具の棚装置。
【請求項２】
前記蓋体の前面は、チョーク又はその他の筆記具により筆記可能な被筆記層に形成されており、前記被筆記層が前記表示許容部になっている、
請求項１に記載した家具の棚装置。
【請求項３】
前記収納部は左右の側板を有しており、前記左右の側板と前記蓋体の左右両側部とに、前記蓋体を上下動させることで嵌脱する嵌合部を設けており、前記蓋体は、上向き動させることで収納部から取り外しできるようになっている、
請求項１又は２に記載した家具の棚装置。
【請求項４】
前記蓋体に、当該蓋体を平坦面の上に自立させるための支持手段を設けている、
請求項１〜３のうちのいずれかに記載した家具の棚装置。
【請求項５】
少なくとも前向きに開口している収納部を備えた家具の棚装置における前記収納部の前面を塞ぐ蓋体であって、
その外周部に、前記棚装置における収納部の開口部に設けた本体側嵌合部に係脱自在な蓋体側嵌合部を設けており、かつ、前面は、チョーク又はその他の筆記具で筆記可能な被筆記層に形成されている、
家具の棚装置に使用する蓋体。
【発明の詳細な説明】
【技術分野】
【０００１】
本願発明は、いわゆる学習机のような机などの天板付き家具に使用される棚装置と、この棚装置に使用する蓋体とに関するものである。
【背景技術】
【０００２】
机上の後部に棚装置を配置することは、学習机（或いは学習デスク）と呼ばれている児童用机を初めてとして、広く行われている。この机上用棚装置の態様は多種多様であるが、学習机用の棚装置の場合は、棚板に仕切りを設けたオープン式の収納空間を基本として、これに引出しを設けることが多いと云える。
【０００３】
引出しは小物の収納に便利であるが、上向きに開口しているため物品の出し入れが面倒な点や、上から覗かないと収納物を確認できない問題がある。そこで、収納部を前向き開口の態様とすることで物品の出し入れの容易性や視認性の向上を図りつつ、蓋体を設けることで物品の脱落防止等を図ることが考えられており、その例として特許文献１には、学習机用の棚装置において、前向きに開口した収納部に水平回動式を蓋体を設けることが開示されている。
【０００４】
他方、特許文献２には、机の側面から立ち上げた棚装置において、棚装置に前向き開口の収納部を設けて、蓋体を、側面視鉛直姿勢の閉じ状態から収納部の上に位置した水平姿勢の開き状態まで跳ね上げられるように、リンクで収納部に連結することが開示されている。
【先行技術文献】
【特許文献】
【０００５】
【特許文献１】実開平５−４７９７７号のＣＤ−ＲＯＭ
【特許文献２】特許第３３４６３３０号公報
【発明の概要】
【発明が解決しようとする課題】
【０００６】
さて、例えば学習机を使用する児童にとって、スケジュールや友人との約束、各種のメッセージ、備忘録のような様々な情報を見やすい状態に表示しておきたいという要望は高いといえる。この点については、通常はメモ帳を使用しているが、メモ帳は常に目につく場所においているとは限らないため、メモ帳を見忘れたり紛失したりすることがあって表示の確実性に劣るという問題がある。
【０００７】
他方、例えばホワイトボードのような筆記ボードを使用することも考えられるが、この場合は、例えば筆記ボードを棚装置の前面に立て掛けるとその後ろの物品が見えなくなるというように、視認性を確保しつつ邪魔にならない状態で棚装置に配置することが困難であるという問題がある。
【０００８】
本願発明は、このような現状を改善すべく成されたものである。
【課題を解決するための手段】
【０００９】
本願発明は、棚装置とこれに使用する蓋体とを対象にしており、請求項１〜４で棚装置を特定している。このうち請求項１の発明は、天板付き家具に使用される棚装置であって、少なくとも前向きに開口した収納部とこれに設けた蓋体とを有しており、前記蓋体は、前記収納部に対し着脱自在であってかつ当該収納部の前面側の開口を覆うように設けられ、前記蓋体の前面を、視認できる表示を施し得る表示許容部と成している。
【００１０】
請求項２の発明は請求項１を具体化したもので、この発明では、前記蓋体の前面は、チョーク又はその他の筆記具により筆記可能な被筆記層に形成されており、前記被筆記層が前記表示許容部になっている。表示許容部になっている。請求項２では筆記による表示を許容しているが、表示態様としては、写真やイラスト、シール等のシート類を貼り付け又は装着するといったことなど、各種の態様を採用可能である。
【００１１】
請求項３の発明は、請求項１又は２において、前記収納部は左右の側板を有しており、前記左右の側板と前記蓋体の左右両側部とに、前記蓋体を上下動させることで嵌脱する嵌合部を設けており、前記蓋体は、上向き動させることで収納部から取り外しできるようになっている。また、請求項４の発明では、請求項１〜３のうちのいずれかにおいて、前記蓋体に、当該蓋体を平坦面の上に自立させるための支持手段を設けている。
【００１２】
請求項５は棚装置の蓋体に関する。すなわち、少なくとも前向きに開口している収納部を備えた家具の棚装置における前記収納部の前面を塞ぐ蓋体に関するものであり、この蓋体は、その外周部に、前記棚装置における収納部の開口部に設けた本体側嵌合部に係脱自在な蓋体側嵌合部を設けており、かつ、前面は、チョーク又はその他の筆記具で筆記可能な被筆記層に形成されている。
【発明の効果】
【００１３】
本願発明では、蓋体は収納部の前面を塞ぐものであり、収納部を塞いだ状態では机等の家具の使用者の正面方向に位置しているため、抜群の視認性を有していて表示を見落とすようなこともなく、かつ、収納部を塞ぐ蓋体として機能するものであるため、邪魔になる（或いは置き場所に困る）こともない。
【００１４】
しかも、蓋体は着脱自在であるため、例えば筆記ボードとして機能させる場合は、取り外すことで容易かつ正確に筆記できるというように、表示を施したり除去したりすることを簡単かつ確実に行える。また、蓋体を取り外すことにより、収納部への物品の出し入れを容易に行える利点もある。
【００１５】
請求項２のうち、蓋体を黒板として機能させると、蓋体の前面が黒や緑のようなダークな色であることにより、高いアクセント効果を発揮して視認性が一層高くなる利点がある。また、チョークは様々な色のものが市販されているため、文字にしても図柄にしても、カラフルな表示を簡単に施すことができる利点もある。請求項２では、蓋体は、水性ペンで筆記できるホワイトボードに兼用させることもできる。
【００１６】
蓋体の取付け手段は様々な構造を採用できるが、請求項３のように上下方向からの嵌め合わせ方式を採用すると、上下動させるだけで簡単に着脱できると共に、閉じた状態で物品の脱落を確実に阻止できる利点がある。
【００１７】
取り外した蓋体を例えば机上に立てた状態で配置したいという要望も高いと云えるが、請求項４の構成を採用すると、天板や棚板等の平坦面に安定良く自立させることができるため、使い勝手が非常によい。
【図面の簡単な説明】
【００１８】
【図１】学習机にセットした状態での斜視図である。
【図２】要部の分離斜視図である。
【図３】（Ａ）は蓋体を裏側から見た斜視図、（Ｂ）は机上に自立させた状態での一部破断側面図である。
【発明を実施するための形態】
【００１９】
(1).構造の説明
次に、本願発明の実施形態を図面に基づいて説明する。本実施形態は、図１から明らかなように、天板付き家具の一例である学習机用の棚装置に適用している。すなわち、学習机は机本体１と机上面の後部に載置した棚装置２を備えており、本願発明は棚装置２に適用されている。
【００２０】
机本体１は、天板３とその右側部下面に設けた袖袋４とを備えており、袖袋４の各コーナー部から足体５を下向き突設する一方、天板３の左側部には、前後２本の棒状脚６を設けている。袖袋４には袖引出しを設けている。また、天板３の下面には平引出しを設けている。
【００２１】
棚装置２は、左右の外側板８とその後端部を連結する背板９とを備えており、左右外側板８の間に１枚の棚板１０を装架している。背板９は上下２枚に分離しており、棚板１０の上面に配置した仕切り板１１は、背板９に対しても固定又は係止されている。なお、仕切り板１１は、たとえば左右に摺動可能なように背板９に掛止されるが、特にこれに限定される必要はなく、棚板１０の後部に凹部を設け、そこに左右摺動可能なように掛止するようにしてもよい。また、棚板１０を複数段設けることも可能である。
【００２２】
棚板８のうち右端寄りの部位の下面には引出し１２を前後動可能に配置しており、引出し１２の上方には、前向きに開口した収納部１３を設けている。収納部１３は、棚板１０と右側の外側板８、外側板８と平行に配置された中間側板１４、中間側板１４及び側の外側板８の上端部間に装架した上板１５とで外周が構成されており、かつ、後面は背板９で塞がれている。従って、この実施形態においては、収納部１３は手前のみに開口している。
【００２３】
収納部１３には、その前面を塞ぐ蓋体１６を着脱自在に設けている。蓋体１６は、例えば樹脂製や木製であって、正面視四角形の形状であり、外側板８の前端部と中間側板１４の前端部との間に配置されるようになっている。蓋体１６の左右両側面に、本体側嵌合部の一例として、ガイド突条１８が嵌まる上下長手のガイド溝１７が形成されている。
【００２４】
そして、外側板８の前端部の内側面と中間側板１４の前端部の内側面とに、蓋体側嵌合部の一例として、ガイド溝１７が嵌まる上下長手のガイド突条１８を配置している。従って、蓋体１６は、上下動させてガイド溝１７をガイド突条１８に嵌脱させることにより、収納部１３の前端部に着脱できる（収納部１３を開閉できる）。ガイド溝１７は下方と左右外側とに開口しているが、上下全長にわたって形成することも可能である。
【００２５】
なお、図２に示すように、外側板８及び中間側板１４の前端部はエッジ材８ａ，１４ａで構成されており、ガイド突条１８はエッジ材８ａ，１４ａに装着されている。蓋体１６は、木製など様々な素材で製造できる。
【００２６】
ガイド突条１８は金属線材で構成されており、上下両端に設けた横向き嵌入部１８ａを側板９，１４に設けた穴に嵌め込んでいる。蓋体１６の装着手段としては、蓋体１６の側面にガイド突条１８を設けて、側板８，１４の内側面にガイド溝を形成してもよい。ガイド突条１８は線材製である必然性はなく、樹脂製や金属板製等であってもよい。或いは、ガイド突条１８を側板８，１４や蓋体１６に一体に設けることも可能である。蓋体１６には特段の加工を施さずに、側板８，１４の左右内側面に、蓋体１６の側部を嵌脱できる嵌まる縦溝を形成してもよい。
【００２７】
また、蓋体１６は、側板８，１４の前端面に重なるように配置することも可能である。この場合の嵌合部（嵌合手段）としては、例えば、蓋体１６の左右両側部に、平面視凸形で上下長手の突条（蟻ホゾ）を設ける一方、側板８，１４の前端面に、突条が嵌まる溝条（蟻溝）を形成することができる。
【００２８】
図２に明示するように、外側板８と中間側板１４と背板９は上板１５がら少し上向きに突出しており、かつ、蓋体１６も、収納部１３に装着した状態では上板１５の上面よりも少し上方に突出している。つまり、収納部１３の上面は浅い凹部になっている。このため、上板１５にチョーク等の丸い筆記具を置いても、外側に転がり落ちることを防止できる利点がある。上板１５に凹所を形成することによっても、筆記具の転がりを防止できる。
【００２９】
蓋体１６の前面には、筆記具により筆記可能な被筆記層として、黒板層１６ａが形成されている。従って、蓋体１６の前面にチョークで筆記することができる。たとえば、黒板層１６ａは、蓋体１６の前面に黒板用の塗料を塗布することによって形成される。蓋体１６の下部の後面のうち左右中間部には後ろ向きに開口したピン支持穴２０が空いており、このピン支持穴２０に、支持手段の一例としてのピン２１を嵌め込むことができる。従って、図３（Ｂ）のとおり、蓋体１６は、机本体１の天板３や収納部１３の上面板１５等の平坦部に自立させることができる。勿論、机とは離れた場所に配置することもできる。
【００３０】
また、蓋体１６の後面は四角形の凹所１９が形成されている。このため、蓋体１６の外周には後ろ向きに突出した土手部１６ｂ，１６ｃ，１６ｄが形成されており、下部に位置した左右横長の土手部１６ｄにピン支持穴２０が空いている。また、下部に位置した左右横長の土手部１６ｄの内面に、ピン２１を使用しないときにこれを嵌め込みできる格納穴２２が空けられている。ピン２１は、木製、樹脂製、金属製など、様々な素材を採用できる。ピン支持穴２０を左右複数箇所設けて、蓋体１６を複数の箇所で支持することも可能である。
【００３１】
蓋体１６のうち上端に位置した土手部１６ｂには、人が蓋体１６を摘むための切欠き溝２３を形成している。すなわち、人は、指先を切欠き溝２３に嵌め入れて蓋体１６の上端部を摘むことにより、蓋体１６を収納部１３に着脱できる。
【００３２】
(2).まとめ
以上のとおり、蓋体１６を黒板として使用できるが、蓋体１６は棚装置２の前面に配置されているため、視認性は抜群で、見落とすようなことはない。また、蓋体１６は収納部１３を塞ぐものであるため、邪魔になるようなことは皆無である。更に、蓋体１６は着脱式であるため、文字やイラスト等の表示は、収納部１３から外して天板３の上に寝かせた状態で書くことができる。このため、文字やイラスト等の表示を簡単かつ綺麗に書くことができる。
【００３３】
本実施形態の蓋体１６は上下動方式であるため、手前に外れることはない。このため、収納部１３に収納した物品が手前に落ちることを確実に阻止できる。また、実施形態のように、支持手段としてピン２１を使用すると、簡単な構造で蓋体１６を自立させることができる利点がある。更に、ピン２１を使用した場合において、蓋体１６に格納穴２２を設けておくと、ピン２１の紛失も抑制できる。
【００３４】
更に、蓋体１６に後ろ向き開口の凹所１９を形成すると、外周部にはある程度の厚さを確保して強度は確保しつつ、樹脂の使用量を抑制してコスト削減に貢献できる。また、凹所２３を設けたことで、ピン２１を不使用時に邪魔にならない状態で格納することができる。なお、ピン２１を隠すという目的のみから見ると、凹所１９は、ピン２１を格納できる程度の大きさがあれば足りる。
【００３５】
既に述べたが、蓋体１６に筆記機能を持たせる場合、ホワイトボード方式も採用できる。また、表示態様としては、文字等を記すことに代えて（又はこれに加えて）、写真やシール類等の紙葉類を貼り付け又はピン止めすることも可能である。ピン止めの場合は、蓋体の前面をコルク材のような軟質材で構成したらよい。また、蓋体の前面に、カード類を上から又は横から差し込みできるカード類装着部を設けて、写真や時間割カード等の紙葉類を装着できるようにすることも可能である。
【００３６】
蓋体１６を自立させる支持手段としては、実施形態のピンの他にも様々な態様を採用できる。例えば、図３に一点鎖線で示すように、縦長の左右土手部１６ｃの内側面に、足体２４を、その上端部を中心にしてある程度の角度だけ前後回動するように取り付けて、足体２４を支持部と成すことが可能である。
【００３７】
実施形態では収納部は手前のみに開口しているが、収納部は、手前と上方とに開口している構造であってもよい。或いは、棚板に、線材製の仕切りを左右隔てて配置して、左右の仕切りの間の部位を収納部と成し、左右の仕切りに蓋体を着脱自在に取り付けることも可能であり、この場合は、仕切りは左右に開口しているので、収納部１３も、手前と左右両側と上方とに開口していることになる。
【００３８】
１つの棚装置に複数の収納部を左右に分離して設けて、これらに蓋体１６を着脱自在に設けることも可能である。また、上下複数段の棚板を有する棚装置の場合は、本願発明の蓋体で開閉される収納部を上下複数段設けることが可能である。
【００３９】
また、上述の実施形態では、棚装置２を机上面の後部に載置した。すなわち、机本体１の天板３上に棚装置２を載置し、机上用棚装置として利用したが、これに限定される必要はない。本願発明の「棚装置」とは、実質的に家具の天板３よりも高い位置で利用される棚装置を包括的に示す表現であり、机本体１の奥側に机本体１の天板３よりも高い棚装置を設置し、その棚装置のうち机本体１の天板３よりも高い部分を「棚装置」として利用してもよい。
【００４０】
図示した実施形態は学習机の棚装置に適用したが、本願発明の適用対象は必ずしも学習机の棚装置には限らないのであり、各種の天板付き家具の棚装置に広く適用することができる。例えば、折り畳み式やスライド式の天板を備えたライティングビューローなども、本願発明の家具に含まれる。棚装置は、家具に一体に組み込まれていてもよいのである。
【産業上の利用可能性】
【００４１】
本願発明は、机の棚装置に適用できる。従って、産業上利用できる。
【符号の説明】
【００４２】
１  机本体
２  棚装置
３  天板
８  外側板
１０  棚板
１３  収納部
１４  中間側板
１５  上面板
１６  蓋体
１６ａ  表示許容部の一例としての黒板層
１７  本体側嵌合部の一例としてのガイド溝
１８  蓋体側嵌合部の一例としてのガイド突条
１９  凹所
２０  ピン保持穴
２１  支持手段の一例としてのピン
２２  ピン格納穴
【図１】
2015223188.tif 000003
【図２】
2015223188.tif 000004
【図３】
2015223188.tif 000005